(57)【要約】【課題】固体成分と液体成分とが混在する処理物の固液分離処理を効率よく行なう。【解決手段】本発明の固液分離装置は、平面的に且つ相互に平行に配置した複数本の各回転軸７に多数の回転板８を軸装し、その上面側を回転板８の回転により処理物を順次回転方向に掻き送りしながら搬送面１１とした装置において、上記回転板の最大回転半径を、搬送上流側を大きくし、下流側に向かって順次小さくなるように形成し、搬送面１１上に搬送下流側に向かって下降傾斜し搬送される処理物を搬送面１１との間で押圧して圧搾する圧搾具１３を配置し、回転板８が圧搾具１３の下面側に配置された回転板８である。【選択図】図６
2007307512.tif 000002
【特許請求の範囲】
【請求項１】
平面的に且つ相互に平行に配置した複数本の各回転軸（７）に多数の回転板（８）を軸装し、その上面側を回転板（８）の回転により処理物を順次回転方向に掻き送りしながら搬送面（１１）とした装置において、上記回転板の最大回転半径を、搬送上流側を大きくし、下流側に向かって順次小さくなるように形成した固液分離装置。
【請求項２】
搬送面（１１）上に搬送下流側に向かって下降傾斜し搬送される処理物を搬送面（１１）との間で押圧して圧搾する圧搾具（１３）を配置し、回転板（８）が圧搾具（１３）の下面側に配置された回転板（８）である請求項１の固液分離装置。
【請求項３】
圧搾具（１３）の下面側に搬送面（１１）を形成する各回転板（８）の回転軌跡に対応する凹凸面（１６）を形成してなる請求項２の固液分離装置。
【請求項４】
凹凸面（１６）が回転板（８）の回転軌跡に沿った円弧状の凹面を備えてなる請求項３の固液分離装置。
【請求項５】
回転板（８）が処理する処理物の掻き送り搬送をしない無負荷状態の際は回転板（８）を高速回転させ、処理物の掻き送り時は通常速度で回転させる早戻り制御を行なう制御手段を備えた請求項１，２，３又は４の固液分離装置。
【発明の詳細な説明】
【技術分野】
【０００１】
本発明は、例えば生ごみ、下水道汚泥、食品工場排水、含水建築残土等のような固体成分と液体成分とが混在する処理物の固液分離を行なう固液分離装置に関する。
【背景技術】
【０００２】
例えば複数の回転板が軸装された回転軸を前後に複数並べて、各回転板を同一方向に回転させることにより、投入される多量の水分を含む処理物を順次搬送し、スリットを介して水分を濾過して固液分離する固液分離装置が公知となっている（例えば特許文献１参照）。また、処理物を押圧して圧搾する圧搾具を用いる場合、搬送下流側に向かって下降傾斜させ圧搾具と搬送面との間に形成される空間を順次狭くし、処理物の含水率の低下に伴う体積減少に対応した固液分離を行なう圧搾装置が公知となっている（例えば特許文献１参照）。
【特許文献１】特開２００３−２１１２９３号公報
【発明の開示】
【発明が解決しようとする課題】
【０００３】
しかし、上記処理では、回転板の回転半径が同一であるため、水分量の多い上流側では搬送時の体積が大きいために一定の脱水効率が確保されるが、水分が少ない下流側では体積が小さくなり、脱水効率が低下する。すなわち処理物の体積が減少しているにもかかわらず回転板が上流側と同量の処理物を掻き送るように動作するため、処理物の脱水に適した搬送がされなくなり、脱水効率が低下する。
【０００４】
また、搬送路上に圧搾具を下降傾斜させて設けた場合は、下流側では搬送路と圧搾具との間の間隙が小さくなるため、圧搾効率が高いのに対し、上流側では上記間隙が大きいため、回転板に空転状態が生じ、搬送効率及び圧搾効率共に低下する欠点がある。
【課題を解決するための手段】
【０００５】
上記課題を解決するため本発明の固液分離装置は、第１に平面的に且つ相互に平行に配置した複数本の各回転軸７に多数の回転板８を軸装し、その上面側を回転板８の回転により処理物を順次回転方向に掻き送りしながら搬送面１１とした装置において、上記回転板の最大回転半径を、搬送上流側を大きくし、下流側に向かって順次小さくなるように形成したことを特徴としている。
【０００６】
第２に、搬送面１１上に搬送下流側に向かって下降傾斜し搬送される処理物を搬送面１１との間で押圧して圧搾する圧搾具１３を配置し、回転板８が圧搾具１３の下面側に配置された回転板８であることを特徴としている。
【０００７】
第３に、圧搾具１３の下面側に搬送面１１を形成する各回転板８の回転軌跡に対応する凹凸面１６を形成してなることを特徴としている。
【０００８】
第４に、凹凸面１６が回転板８の回転軌跡に沿った円弧状の凹面を備えてなることを特徴としている。
【０００９】
第５に、回転板８が処理する処理物の掻き送り搬送をしない無負荷状態の際は回転板８を高速回転させ、処理物の掻き送り時は通常速度で回転させる早戻り制御を行なう制御手段を備えたことを特徴としている。
【発明の効果】
【００１０】
以上のように構成される本発明の固液分離装置によれば、処理物を掻き送る回転板の最大回転半径を搬送下流側に向かって順次小さくすることにより、全ての回転板を同一の角速度で回転させた場合でも、処理物の搬送量を搬送下流側に向かって順次少なくすることができる。このため、処理物の液体成分比率に応じた適切な搬送量を確保することが可能になり、効率の良い固液分離を行なうことができる。
【００１１】
搬送面上に処理物の圧搾具を設けた場合は、処理物の体積が大きい搬送上流では回転半径の大きい回転板で掻き送りしながら圧搾搬送し、体積が小さくなる下流側では回転半径の小さい回転板で掻き送りしながら圧搾搬送するので、上流側、下流側共に効率のよい固液分離ができる。
【００１２】
また、圧搾具の下面側に設けたの凹凸面が回転板の回転軌跡に対応しているので、掻き送り搬送がスムーズで且つ圧搾効率も高くなる。
【００１３】
さらに、回転板が処理物を掻き送りしない無負荷状態の際は回転板を高速回転させ、処理物の掻き送り時は通常回転される早戻り制御を行なう制御手段を備えることにより、処理物の送り速度が向上し、固液分離処理の時間を短縮させることができる。
【発明を実施するための最良の形態】
【００１４】
以下に図示する本発明の実施形態を例えば多量の水分を含む生ゴミや糞尿等の処理物を脱水する場合につき説明する。
図１に示されるように、本発明の固液分離装置は、投入される処理物を、図１における右側から左側に向かって搬送しながら処理物を脱水する。
【００１５】
本発明の固液分離装置は、フレーム１に分離されて落下する水分を受け止める受部２と上部フレームを兼ねたケーシング３が取り付けられている。ケーシング３は例えば全長が２５００ｍｍ、幅が７００ｍｍ、高さが８００ｍｍ程度になる。ただし、上記サイズに限定されるものではない。受部２に溜まった水は受部２の下部に設けられた廃液口４から排水される。ケーシング３は上方及び下方が開口し、搬送下流側の壁面に脱水された処理物を排出するための排出口６を備える。
【００１６】
ケーシング３内には処理物の供給側（上流側）の高位置の長いラインの第１分離ユニット５Ａと排出側（下流側）の低位置の短いラインの第２分離ユニット５Ｂとで上下２段の分離ユニットが形成され、両分離ユニット５Ａ，５Ｂは搬送方向長さ以外は略同一の構成となっている。また両分離ユニット５Ａ，５Ｂは後述するようにフレーム１の搬送上流側端部（右端部）に設けた２台のモーター１７Ａ，１７Ｂにより別々に駆動される。
【００１７】
図２に示されるように、ケーシング３の流路を形成する２つ側壁面の間にはフレーム１又はケーシング３を介して複数の回転軸７が前後方向に回転自在に軸支されている。各回転軸７は平面的、且つ相互に平行に配置され、多数の回転板８が所定間隔毎に軸装されている。各回転板８は同位相で、左右に隣り合う回転板８が搬送方向に沿って一直線上に位置するよう配置されている。上記のように回転板８を配置することにより、図３に示されるように、隣り合う前後の回転板８には間隙Ｘが形成される。上記間隙Ｘは平面視で搬送方向に一直線状になり、この部分に案内部材９設ける。なお上記間隙Ｘは、左右の隣接する各回転板８間にスペーサー１０によって形成される。
【００１８】
図４に示されるように、上記案内部材９は楔状の断面形状を有し、楔の突起が下方に向くように取り付けられている。また、上端面は上記回転板８の回転によって送られる処理物を送り方向にガイドする平滑なガイド面を備えている。各案内部材９の間にはスリットＳが形成されるが、案内部材９が楔状の断面形状をしていることにより、上記スリットＳは下方に向かって広がる形状になっている。なお、回転板８の厚さは１ｍｍ程度であり、案内部材９の上記ガイド面の幅は３ｍｍ程度である。ただし、上記サイズに限定されるものではない。
【００１９】
図５に示されるように、回転板８は基端部側と先端部側が大小異なる半径を形成しており、回転中心は基端部側の中心である。そして搬送方向に隣接する回転板８は、回転中は互いに干渉しない形状、乃至軸間距離となっており、先端部側のみが案内部材９の上面より突出する。
【００２０】
上記の回転板８及び案内部材９によって、ケーシング３内にはウェーブ状に変形する搬送面１１が形成される。搬送面１１は各分離ユニット５Ａ，５Ｂによって上下二段で構成されており、上段の搬送面１１は搬送上流側、下段の搬送面１１は搬送下流側に配置されている。また図１に示されるように、ケーシング３側には板状のアーム１２により揺動可能に軸支された圧搾具１３を搬送面１１の上方に配置する。上記圧搾具１３はケーシング３に軸支されたエアシリンダ１４を備え、上記エアシリンダ１４により処理物を弾力的に押圧して圧搾する。エアシリンダ１４の代わりにウェートやスプリング等を用いてもよい。
【００２１】
なお、搬送面１１上に圧搾具１３を配置する際に搬送下流側に向かって下降傾斜させ、搬送面１１と圧搾具１３との間に形成される空間が搬送下流側に向かって順次狭くなるようにする。また、アーム１４の下面側に、各回転板８の回転軌跡Ｄに対応する凹凸面１６を設ける。
【００２２】
図６に示されるように、平面視で搬送方向に一直線上に配置された各回転板８の回転軸７の高さは同一であり、最大回転半径Ｒは、搬送下流側に配置された回転板８ほど順次小さくなっている。同図の例によれば、５つの回転板８の最大回転半径Ｒ１〜Ｒ５は搬送方向の最後方にある回転板８の最大回転半径Ｒ５が１５０ｍｍ程度の直径であり、Ｒ４、Ｒ３、Ｒ２と搬送下流側にいくに従って最大回転半径Ｒが小さくなっており、搬送方向の最前方にある回転板８では最大回転半径Ｒ１は１００ｍｍ程度に設計されている。
【００２３】
上記回転板８の上方には処理物を圧搾するために圧搾具１３が配置されているが、上記圧搾具１３の下面側に設けられた凹凸面１６には、各回転板８の回転軌跡Ｄ１〜Ｄ５に沿って円弧状の凹面Ａ１〜Ａ５が形成されている。このことにより、圧搾具１３による処理物の圧搾時には、回転板８の先端部と凹凸面１６との距離がほぼ一定になる。
【００２４】
搬送面１１を形成する回転板８の回転半径のうち、圧搾具１３の下面側のものは上述のように上流側のものに対して回転半径を順次小さくする必要があるが、上記以外の例えば圧搾具１３より上流側の回転板８の最大回転半径Ｒは、いずれも図１に示すように前述した圧搾具１３下方の最上流の回転板８の最大回転半径Ｒ５と同一のものを用いてもよい。
【００２５】
第１，第２の各分離ユニット５Ａ，５Ｂは、前述したモーター１７Ａ，１７Ｂによりそれぞれ独立した駆動系によってチェーン駆動され、各モーターの出力スプロケット１８Ａ，１８Ｂは、ケーシング３内に中継軸１９Ａ，１９Ｂを介して軸装されたスプロケット２１Ａ，２１Ｂにチェーン接続されている。
【００２６】
そして、各中継軸１９Ａ，１９Ｂの両突出端に軸装されたスプロケット２２，２２とチェーンによって順次巻き掛けられる駆動スプロケット（図示しない）を介し、各回転軸７によって回転板８がそれぞれ同一角速度で同一方向（処理物送り方向）に回転駆動される。この時両分離ユニット５Ａ，５Ｂの回転板８の回転速度は同一でもよく、また第２分離ユニット５Ｂの方が遅く設定されてもよい。
【００２７】
上記各分離ユニット５Ａ，５Ｂの回転板８の回転には早戻り制御が行なわれ、回転板８が処理物を掻き送る直前から倒伏する負荷状態（約９０°の回転角範囲）では通常の速度とし、送り方向倒伏後、略起立する役２７０°の回転角範囲の無負荷状態では回転速度を高める。この早戻り制御手段は周知のものが用いられ、一般的には回転軸９の回転位置を検出し、その検出によりインバータのスイッチをＯＮ，ＯＦＦするもの等が用いられる。ちなみに、回転板８の回転数は図示された実施例では１０ｒｐｍ程度である。
【００２８】
本固液分離装置の上記構成により、回転板８及び案内部材９の上に多量の水分を含有した処理物を供給し、各回転軸７を回転させる。この際、上述した回転板８の早戻り制御により、処理物の送り速度を向上させ、脱水時間を短縮させることができる。
【００２９】
処理物が搬送面１１上を搬送される途中に、処理物に含まれる水分は各回転板８間の間隙Ｘ、案内部材９間のスリットＳにより濾過されて受部２内に排水される。処理物が脱水される際、図４に示すようにスリットＳは下方に向かって広がるように形成されているため、上記処理物は回転板８の回転とあいまってスムーズに下方に排出される。
【００３０】
その際、処理物を掻き送る回転板８の最大回転半径Ｒを搬送下流側に向かって順次小さくすることにより、全ての回転板８を同一の角速度で回転させた場合でも、処理物の搬送量を搬送下流側に向かって順次少なくすることができる。このため、処理物の含水率に応じた適切な搬送量を確保することが可能になり、効率の良い脱水を行なうことができる。
【００３１】
また、搬送面１１上に処理物の圧搾具１３を設けた場合は、処理物の体積が大きい搬送上流では最大回転半径Ｒの大きい回転板８で掻き送りしながら圧搾搬送し、体積が小さくなる下流側では最大回転半径Ｒの小さい回転板８で掻き送りしながら圧搾搬送するので、上流側、下流側共に効率のよい固液分離ができる。さらに、圧搾具１３の下面側に設けた凹凸面１６が回転板８の回転軌跡Ｄに対応しているので、掻き送り搬送がスムーズで且つ圧搾効率も高くなる。
【図面の簡単な説明】
【００３２】
【図１】本固液分離装置の構造を示す側面断面図である。
【図２】本固液分離装置の平面図である。
【図３】搬送面の要部平面図である。
【図４】回転板及び案内部材の要部正面断面図である。
【図５】回転板の回転状態を示す側面図である。
【図６】搬送方向に隣接する回転板の配置状態、及び凹凸面を有する圧搾具の配置状態を示す側面図である。
【図７】本固液分離装置の正面断面図である。
【符号の説明】
【００３３】
１    フレーム
２    受部
３    ケーシング
４    廃液口
５Ａ，５Ｂ  分離ユニット
６    排出口
７    回転軸
８    回転板
９    案内部材
１０  スペーサー
１１  搬送面
１２  アーム
１３  圧搾具
１４  エアシリンダ
１６  凹凸面
１７Ａ，１７Ｂ  モーター
１９Ａ，１９Ｂ  中継軸
【図１】
2007307512.tif 000003
【図２】
2007307512.tif 000004
【図３】
2007307512.tif 000005
【図４】
2007307512.tif 000006
【図５】
2007307512.tif 000007
【図６】
2007307512.tif 000008
【図７】
2007307512.tif 000009